【事件の表示】
　特願２０１４−　１３３４９「ディスプレイ用イルミネータ」拒絶査定不服審判事件〔平成２６年　７月１７日出願公開、特開２０１４−１３２３４６、請求項の数（２０）〕について、次のとおり審決する。
【結　論】
　原査定を取り消す。
　本願の発明は、特許すべきものとする。
【理　由】
第１　手続の経緯
　本願は、２００４年１２月２４日（パリ条約による優先権主張外国庁受理２００４年１２月２３日、米国）を国際出願日とする特願２００７−５４７１１１号の一部を平成２４年１月２０日に新たな特許出願とした特願２０１２−１０４３６号の一部を平成２５年８月３０日に新たな特許出願とした特願２０１３−１７９７１４号の一部を平成２６年１月２８日に新たな特許出願としたものであって、平成２７年１月２２日付けで拒絶理由通知がされ、同年７月２２日付けで手続補正がされ、同年８月２６日付けで拒絶理由通知がされ、同年１２月１日付けで手続補正がされ、平成２８年５月２７日付けで拒絶理由通知がされ、同年８月３１日付けで手続補正がされ、平成２９年１月３１日付けで拒絶査定（原査定）がされ、これに対し、同年６月６日に拒絶査定不服審判の請求がされると同時に手続補正がされたものである。
第２　原査定の概要
　原査定（平成２９年１月３１日付け拒絶査定）の概要は、次のとおりである。
　本願請求項１−２０に係る発明は、以下の引用文献１、２に基づいて、その発明の属する技術の分野における通常の知識を有する者（以下「当業者」という。）が容易に発明できたものであるから、特許法第２９条第２項の規定により、特許を受けることができない。
引用文献等一覧
　１．特開２００１−１４２４０９号公報
　２．特開平７−２２６５３６号公報
第３　本願発明
　本願請求項１−２０に係る発明（以下、それぞれ「本願発明１」−「本願発明２０」という。）は、平成２９年６月６日付けの手続補正で補正された特許請求の範囲の請求項１−２０に記載された事項により特定される発明であり、本願発明１は、以下のとおりの発明である。
　
「【請求項１】
　ディスプレイ用イルミネータであって、
　別個の色で独立に制御可能な２次元配置の半導体の発光器を含む光源層であって、第１の組の前記発光器は、第１の色の光を照射するように構成され、第２の組の前記発光器は、第２の色の光を照射するように構成され、第３の組の前記発光器は、第３の色の光を照射するように構成される、前記光源層と、
　画像データに応じて前記発光器の光出力を制御するように構成されたコントローラとを備え、
　前記第１〜第３の組のうちの１つの組の発光器の点像強度分布関数は、前記第１〜第３の組のうちの他の組の発光器の点像強度分布関数よりも広く、
　前記第１〜第３の組の各々の発光器において、複数の発光器のうちの近接する複数の発光器の点像強度分布関数は重なり合い、
　前記第１〜第３の組のうちの少なくとも１つの組は、他の組の発光器よりも多くの発光器を備え、
　各組の発光器の数は、前記発光器のフラックスの比に反比例し、
　各組において、複数の発光器は間隔が異なり、各組において、複数の発光器の各点像強度分布関数は、当該組の複数の発光器の間隔に応じて増大する幅を有する、イルミネータ。」
　本願発明２−２０は、本願発明１の発明特定事項を全て含み、さらに減縮した発明である。
第４　引用文献、引用発明等
１．引用文献１について
　原査定の拒絶の理由に引用された上記引用文献１（特開２００１−１４２４０９号公報）には、図面とともに、次の事項が記載されている（下線は、当審で付与した。）。
「【０００１】
【発明の属する技術分野】本発明は、照明光を映像信号に応じて変調することにより映像を表示する映像表示装置およびこの映像表示装置における照明制御方法に関する。」
「【０００６】本発明はかかる問題点に鑑みてなされたもので、その目的は、照明に必要とされる消費電力を低減することができる映像表示装置および映像表示装置における照明制御方法を提供することにある。」
「【００１１】［第１の実施の形態］図２は、本発明の第１の実施の形態に係る映像表示装置としての液晶表示装置の要部構造を示す断面図である。同図に示したように、本実施の形態に係る
液晶表示装置は、照明光を映像信号に応じて光学的に変調させることにより表示面５に映像信号に応じた映像を形成する液晶パネル１と、この液晶パネル１に対向配置されると共に、液晶パネル１の背面から照明光を照射するためのバックライトパネル２とを備え
「【００１３】
バックライトパネル２は、液晶パネル１と対向する側に、照明光を発する光源となる複数のＬＥＤ３が配置された基板４を有し
ＬＥＤ３は、液晶パネル１の背面から白色光を発するようになっており、
色毎に独立駆動可能な赤（Red ＝Ｒ），緑（Green ＝Ｇ），青（Blue＝Ｂ）の３色のＬＥＤを組み合わせたもので構成され
ＬＥＤ３は、例えば所定の分割領域単位でスイッチング素子に接続され、
所定の分割領域単位で駆動制御がなされるようになっている。
「【００１６】なお、
分割領域の分割数と各分割領域内に配置するＬＥＤ３の数は、表示画面全体の大きさや総画素数等を考慮して任意の数に設定可能であり、
【００１７】図１は、本実施の形態に係る液晶表示装置の制御系の回路構成を示すブロック図である。本実施の形態に係る液晶表示装置は、その制御回路として、データ線１３を介して液晶パネル１に映像信号に応じた信号電圧を印加する信号駆動回路１１と、データ線１４を介して液晶パネル１に循環的に走査電圧を印加する走査駆動回路１２と、データ線２３を介してバックライトパネル２のＬＥＤ３を制御するための制御信号を印加する水平駆動回路２１と、データ線２４を介してバックライトパネル２のＬＥＤ３を制御するための制御信号を印加する垂直駆動回路２２とを備えている。
【００１８】本実施の形態に係る
液晶表示装置は、
バックライトパネル２を駆動制御するＬＥＤ制御回路３４と、映像信号処理回路３１、液晶パネル制御回路３３およびＬＥＤ制御回路３４を含む液晶表示装置の各部の構成要素の制御を行うコントローラ３５とを備え
「【００２８】
ＬＥＤ制御回路３４は、映像信号に応じて、液晶パネル１において少なくとも照明光が必要とされる画素領域に照明光が照射されるよう、
バックライトパネル２におけるＬＥＤ３を、設定された分割領域単位で駆動制御する
駆動されたＬＥＤ３から液晶パネル１の背面に向けて、設定された分割領域単位で照明光が照射される。コントローラ３５は、バックライトパネル２のＬＥＤ３が液晶パネル１における画素の駆動周期に同期して駆動されるよう、液晶パネル制御回路３３とＬＥＤ制御回路３４とを同期制御する。」
「【００３５】例えば、図５（Ａ）に示したように、ＬＥＤ３の駆動単位である４つの分割領域２０Ａ〜２０Ｄの全てにまたがるような表示画像５１を表示する場合には、同図（Ｂ）に示したように、４つの分割領域２０Ａ〜２０Ｄ内の全てのＬＥＤ３を点灯することになり、消費電力削減の効果が得られない。しかしながら、画面全体に画像が分散して表示されるような場合であっても、分割領域をより細分化することにより、消費電力削減の効果を得ることが可能である。」
「【００３７】このように、分割領域を細分化することにより、画面全体に画像が分散するような複雑な画像表示を行う場合であっても、省電力の効果を高めることが可能となる。なお、分割領域を１画素に対して１つに設定することで、事実上、消費電力削減の効果が最も大きくなる。しかしながら、携帯型パソコン等に使用される液晶パネル１における１画素の大きさは、現状のＬＥＤ３の大きさに比べてかなり小さいため、通常では、１つのＬＥＤ３で複数画素に対して照明を行うことになり、分割領域を１画素に対して１つに設定することは難しい。
但し、１画素の大きさが大きい場合や、デバイス技術の向上によっては、分割領域を１画素に対して１つに設定することも可能であることは勿論である。
【００３８】以上説明したように、本実施の形態に係る液晶表示装置によれば、液晶パネル１に照射する照明光を発する光源となるＬＥＤ３を、複数の分割領域に対して少なくとも１つずつ配置すると共に、映像信号に応じて、少なくとも照明光が必要とされる画面領域にのみ照明光が照射されるよう、ＬＥＤ３を分割領域単位で駆動制御するようにしたので、
照明する必要のない画面領域に対しては照明光を照射しないようにすることが可能となり、照明に必要とされる消費電力を低減することができる。
「【００５２】なお、本発明は、上記実施の形態に限定されず種々の変形実施が可能である。例えば、液晶パネル１に照射する照明光を発するＬＥＤ３を、それぞれ独立駆動可能なＲ，Ｇ，Ｂの各色のＬＥＤを組み合わせて構成し、ＬＥＤを各色毎に独立に制御するようにしても良い。これにより、液晶パネル１に照射する照明光を使用者の好みの色となるように制御することが可能となる。例えば、各色のＬＥＤによる合成光を、色温度の低い赤っぽい白色、色温度の高い青っぽい白色または緑がかった白色等の好みの照明色に制御することができる。外部照明が蛍光灯のような青い照明である場合や、外部照明がナトリウム灯のような極端に赤い照明である場合等、異なる外部照明下で液晶パネル１に同一色の照明光を照射すると、外部照明の種類によっては画面が見にくくなるが、外部照明の種類に応じて液晶パネル１に照射する照明光の色を変えると、表示画面の視認性を改善することが可能となる。このように、
ＬＥＤを各色毎に独立に制御すること
により、
表示画面の色温度を調節することができ
る。
　したがって、上記引用文献１には次の発明（以下、「引用発明」という。）が記載されているものと認められる。
「液晶表示装置は、照明光を映像信号に応じて光学的に変調させることにより表示面５に映像信号に応じた映像を形成する液晶パネル１と、この液晶パネル１に対向配置されると共に、液晶パネル１の背面から照明光を照射するためのバックライトパネル２とを備え（引用文献１の段落【００１１】より。以下同様。）、
　バックライトパネル２は、液晶パネル１と対向する側に、照明光を発する光源となる複数のＬＥＤ３が配置された基板４を有し、ＬＥＤ３は、液晶パネル１の背面から白色光を発するようになっており、色毎に独立駆動可能な赤（Red ＝Ｒ），緑（Green ＝Ｇ），青（Blue＝Ｂ）の３色のＬＥＤを組み合わせたもので構成され、ＬＥＤ３は、例えば所定の分割領域単位でスイッチング素子に接続され、所定の分割領域単位で駆動制御がなされるようになっており（【００１３】）、
　分割領域の分割数と各分割領域内に配置するＬＥＤ３の数は、表示画面全体の大きさや総画素数等を考慮して任意の数に設定可能であり（【００１６】）、
　液晶表示装置は、バックライトパネル２を駆動制御するＬＥＤ制御回路３４と、映像信号処理回路３１、液晶パネル制御回路３３およびＬＥＤ制御回路３４を含む液晶表示装置の各部の構成要素の制御を行うコントローラ３５とを備え（【００１８】）、
　ＬＥＤ制御回路３４は、映像信号に応じて、液晶パネル１において少なくとも照明光が必要とされる画素領域に照明光が照射されるよう、バックライトパネル２におけるＬＥＤ３を、設定された分割領域単位で駆動制御し、駆動されたＬＥＤ３から液晶パネル１の背面に向けて、設定された分割領域単位で照明光が照射され、コントローラ３５は、バックライトパネル２のＬＥＤ３が液晶パネル１における画素の駆動周期に同期して駆動されるよう、液晶パネル制御回路３３とＬＥＤ制御回路３４とを同期制御し（【００２８】）、
　照明する必要のない画面領域に対しては照明光を照射しないようにすることが可能となり、照明に必要とされる消費電力を低減することができ（【００３８】）、
　ＬＥＤを各色毎に独立に制御することにより、外部の照明環境に応じて表示画面の色温度を調節することができる（【００５２】）、
液晶表示装置（【００１１】）。」
２．引用文献２について
　原査定の拒絶の理由に引用された上記引用文献２（特開平７−２２６５３６号公報）には、図面とともに、次の事項が記載されている （下線は、当審で付与した。）。
「【０００１】
【産業上の利用分野】本発明は例えば
赤色（Ｒ）、緑色（Ｇ）、青色（Ｂ）の三原色のＬＥＤを組合わせて画素とし、この画素を縦横列に並べて画面とし、テレビジョン画像、コンピュータ表示などのカラー表示を行うＬＥＤカラー情報表示板
【０００２】
【従来の技術】従来のこの種のＬＥＤカラー情報表示板９０の表示面部２の構成の例を示すものが図６であり、この表示面２には複数の画素３が例えば縦横列などとして配列され、この画素３中の適宜な位置のものを選択し点灯させることで任意の文字、図形などが表示できるものとなっている。
【０００３】図７は前記画素３の一個の構成を示すものであり、この
画素３は例えば４個の赤色ＬＥＤ４Ｒと、６個の緑色ＬＥＤ４Ｇと、９個の青色ＬＥＤ４Ｂとで構成されるものであり、例えば全てのＬＥＤ４Ｒ、４Ｂ、４Ｇを点灯したときには白色光と言うように、混色により任意の色彩が得られるものとされ
【０００４】尚、赤色ＬＥＤ４Ｒ、緑色ＬＥＤ４Ｇ、青色ＬＥＤ４Ｂとに数の差が設けられているのは、それぞれのＬＥＤに
発光効率
一般的に高効率である赤色ＬＥＤ４Ｒは数が少なく、低効率である青色ＬＥＤ４Ｂは数が多く配設され、全てを点灯したときには所望の色温度の白色が得られるようにされている。
【０００５】また、図８は前記表示面部２を駆動する駆動回路部８０の例であり、前記表示面部２には前記画素３を行方向および列方向に走査するドライバー回路８１が接続されると共に、このドライバー回路８１には走査により選択が行われた
画素３に対して点灯／非点灯或いは混色の割合などの情報を与え
任意の文字、図形が任意の色彩で表示される
　よって、引用文献２には、次の技術的事項が記載されていると認められる。
「赤色（Ｒ）、緑色（Ｇ）、青色（Ｂ）の三原色のＬＥＤを組合わせて画素とし、この画素を縦横列に並べて画面とし、テレビジョン画像、コンピュータ表示などのカラー表示を行うＬＥＤカラー情報表示板であって（引用文献２の段落【０００２】より。以下同様）、この画素は例えば４個の赤色ＬＥＤ４Ｒと、６個の緑色ＬＥＤ４Ｇと、９個の青色ＬＥＤ４Ｂとで構成されるものであり、例えば全てのＬＥＤ４Ｒ、４Ｂ、４Ｇを点灯したときには白色光と言うように、混色により任意の色彩が得られるものとされ（【０００３】）、一般的に発光効率が高効率である赤色ＬＥＤ４Ｒは数が少なく、発光効率が低効率である青色ＬＥＤ４Ｂは数が多く配設され、全てを点灯したときには所望の色温度の白色が得られるようにされている（【０００４】）、ＬＥＤカラー情報表示板（【０００２】）。」
第５　対比・判断
１．本願発明１について
（１）対比
　本願発明１と引用発明とを対比すると、次のことがいえる。
ア　引用発明における「バックライトパネル２」は、「液晶表示装置」の「液晶パネル１に対向配置されると共に、液晶パネル１の背面から照明光を照射する」ものであるから、本願発明における「ディスプレイ用イルミネータ」に相当する。
イ　引用発明における「ＬＥＤ３」を「構成」する「３色のＬＥＤ」のそれぞれは、「各色毎に独立に制御する」ことができるから、本願発明における「別個の色で独立に制御可能な」「半導体の発光器」に相当する。
ウ　引用発明における「バックライトパネル２」は、「液晶パネル１の背面から照明光を照射するための」ものであるから、該「照明光を発する光源」となる「ＬＥＤ３」を構成する「３色のＬＥＤ」が、それぞれの「色」で「液晶パネル１の背面から照明光を照射」していることは明らかである。
　よって、引用発明における「ＬＥＤ３」を「構成」する「３色のＬＥＤ」のうちの、「独立駆動可能な赤（Red ＝Ｒ）」の「ＬＥＤ」が、「液晶パネル１の背面」から「赤」を「照射」することが、本願発明１における「第１の組の前記発光器は、第１の色の光を照射するように構成され」ることに相当する。
エ　次に、上記「ウ」で述べたことを踏まえると、引用発明における「ＬＥＤ３」を「構成」する「３色のＬＥＤ」のうちの、「独立駆動可能」な「緑（Green ＝Ｇ）」の「ＬＥＤ」が、「液晶パネル１の背面」から「緑」を「照射」することが、本願発明１における「第２の組の前記発光器は、第２の色の光を照射するように構成され」ることに相当する。
オ　同様に、上記「ウ」で述べたことを踏まえると、引用発明における「ＬＥＤ３」を「構成」する「３色のＬＥＤ」のうちの、「独立駆動可能」な「青（Blue＝Ｂ）」の「ＬＥＤ」が、「液晶パネル１の背面」から「青」を「照射」することが、本願発明１における「第３の組の前記発光器は、第３の色の光を照射するように構成され」ることに相当する。
カ　引用発明における「バックライトパネル２」が有する「基板４」は、「照明光を発する光源となる複数のＬＥＤ３が配置され」るものであって、該「ＬＥＤ３」は、「３色のＬＥＤを組み合わせ」て構成されている。よって、上記「イ」で述べたことを踏まえると、引用発明における上記「基板４」が、本願発明における「別個の色で独立に制御可能な２次元配置の半導体の発光器を含む光源層」に相当する。
キ　引用発明における「バックライトパネル２を駆動制御するＬＥＤ制御回路３４」は、「映像信号に応じて」、「液晶パネル１において少なくとも照明光が必要とされる画素領域に照明光が照射されるよう、バックライトパネル２におけるＬＥＤ３を、設定された分割領域単位で駆動制御し」、「照明する必要のない画面領域に対しては照明光を照射しないようにする」制御を行っているから、本願発明１における「画像データに応じて前記発光器の光出力を制御するように構成されたコントローラ」に相当する。
　したがって、本願発明１と引用発明との間には、次の一致点、相違点があるといえる。
（一致点）
「ディスプレイ用イルミネータであって、別個の色で独立に制御可能な２次元配置の半導体の発光器を含む光源層であって、第１の組の前記発光器は、第１の色の光を照射するように構成され、第２の組の前記発光器は、第２の色の光を照射するように構成され、第３の組の前記発光器は、第３の色の光を照射するように構成される、前記光源層と、画像データに応じて前記発光器の光出力を制御するように構成されたコントローラとを備えた、イルミネータ。」
（相違点）
　本願発明１では「前記第１〜第３の組のうちの１つの組の発光器の点像強度分布関数は、前記第１〜第３の組のうちの他の組の発光器の点像強度分布関数よりも広く、前記第１〜第３の組の各々の発光器において、複数の発光器のうちの近接する複数の発光器の点像強度分布関数は重なり合い、前記第１〜第３の組のうちの少なくとも１つの組は、他の組の発光器よりも多くの発光器を備え、各組の発光器の数は、前記発光器のフラックスの比に反比例し、各組において、複数の発光器は間隔が異なり、各組において、複数の発光器の各点像強度分布関数は、当該組の複数の発光器の間隔に応じて増大する幅を有する」のに対し、
　引用発明では、「ＬＥＤ３」が、「３色のＬＥＤを組み合わせたもので構成され」ているものの、３色のＬＥＤの各組について、点像強度分布関数の広がりや、重なり合い、数及び間隔について何らについて記載されていない点。
（２）相違点についての判断
　引用文献２に記載された技術的事項は、「ＬＥＤカラー情報表示板」の「画素」についての技術であって、該画素は「画素３に対して点灯／非点灯或いは混色の割合などの情報を与え」、「任意の文字、図形が任意の色彩で表示される」（引用文献２段落【０００５】参照。）ようにするためものであるから、引用文献２に記載された技術的事項において、画素同士の間における光の重なり合いや混色は避けるべきものである。よって、引用文献２に、「画素」を、「赤色ＬＥＤ４Ｒ」、「緑色ＬＥＤ４Ｇ」及び「青色ＬＥＤ４Ｂ」で構成し、「発光効率」を考慮して、各「ＬＥＤ４Ｒ、４Ｂ、４Ｇ」の個数を異ならせる構成が記載されているからといって、上記相違点２に係る本願発明１の構成、つまり、「前記第１〜第３の組の各々の発光器において、複数の発光器のうちの近接する複数の発光器の点像強度分布関数は重なり合」う構成、及び「各組において、複数の発光器は間隔が異なり、各組において、複数の発光器の各点像強度分布関数は、当該組の複数の発光器の間隔に応じて増大する幅を有する」構成は、引用文献２の記載から何ら示唆されるものでない。
　したがって、本願発明１は、当業者であっても、引用発明及び引用文献２に記載された技術的事項に基づいて容易に発明できたものとはいえない。
２．本願発明２−２０について
　本願発明２−２０は、本願発明１の発明特定事項を全て含み、さらに減縮した発明であるから、上記相違点１，相違点２に係る本願発明１の構成と同一の構成を備えるものである。
　よって、本願発明２−２０は、本願発明１と同一の理由により、当業者であっても、引用発明及び引用文献２に記載された技術に基づいて当業者が容易に発明できたものとはいえない。
第６　むすび
 以上のとおり、本願発明１−２０は、当業者が引用発明及び引用文献２に記載された技術的事項に基づいて容易に発明できたものではない。
　したがって、原査定の理由によっては、本願を拒絶することはできない。
　また、他に、本願を拒絶すべき理由を発見しない。
　よって、結論のとおり審決する。